(57)【要約】【課題】空気中に浮遊している塵埃等を清浄すると共に、空気中にマイナスイオンを放出させることができる空気清浄機を提供する。【解決手段】空気中に浮遊している塵埃等を清浄する為の空気清浄機において、前記空気清浄機を構成するいずれかの部品の材料に、貴陽石（商標出願中）の粉体が練り込んで使用されてあるか、あるいは前記空気清浄機を構成するいずれかの部品の表面に、貴陽石（商標出願中）の粉体を混入させた塗装皮膜あるいはコーティング皮膜が形成されてあるか、あるいは前記空気清浄機を構成するいずれかの部品の材料は、貴陽石（商標出願中）の粉体を焼結させるかまたは樹脂バインダーにて固着させて形成されてあるものである。【選択図】　　　　　図３
2004138372.tif 000002
【特許請求の範囲】
【請求項１】
空気中に浮遊している塵埃等を清浄する為の空気清浄機において、前記空気清浄機を構成するいずれかの部品の材料に、貴陽石（商標出願中）の粉体が練り込んで使用されてあるか、あるいは前記空気清浄機を構成するいずれかの部品の表面に、貴陽石（商標出願中）の粉体を混入させた塗装皮膜あるいはコーティング皮膜が形成されてあるか、あるいは前記空気清浄機を構成するいずれかの部品の材料は、貴陽石（商標出願中）の粉体を焼結させるかまたは樹脂バインダーにて固着させて形成されてあることを特徴とする空気清浄機。
【請求項２】
請求項１記載の構成よりなる空気清浄機において、前記部品として空気清浄フィルターが使用されてあることを特徴とする空気清浄機。
【請求項３】
請求項１記載の構成よりなる空気清浄機において、前記部品としてプレフィルターが使用されてあることを特徴とする空気清浄機。
【請求項４】
請求項１記載の構成よりなる空気清浄機において、前記部品として本体フレームが使用されてあることを特徴とする空気清浄機。
【請求項５】
請求項１記載の構成よりなる空気清浄機において、前記部品としてファンモーターが使用されてあることを特徴とする空気清浄機。
【請求項６】
請求項１記載の構成よりなる空気清浄機において、前記部品としてファンが使用されてあることを特徴とする空気清浄機。
【請求項７】
請求項１記載の構成よりなる空気清浄機において、前記部品としてブラシ付きファンが使用されてあることを特徴とする空気清浄機。
【発明の詳細な説明】
【０００１】
【発明の属する技術分野】
本発明は、空気中に浮遊している塵埃等を清浄する為の空気清浄機に関するものである。
【０００２】
【従来の技術】
従来の空気清浄機を、以下図１及び図２を用いて説明する。
【０００３】
従来の空気中に浮遊している塵埃等を清浄する為の空気清浄機に関しては、様々な改良がなされ、例えば、図１の如くの構成の空気清浄機が、特開２００２−２６７２１６号に開示されてある。図１及び図２において、１は空気清浄機、２は空気清浄フィルター、３はプレフィルター、４は本体フレーム、５はファンモーター、６はファン、７は吸い込み口、８、１８は吹き出し口、９、１９は通路である。空気中に浮遊している塵埃等を含む空気は、ファン６の回転により吸引されて、プレフィルター３を介して、吸い込み口７から通路９、１９に入り、空気清浄フィルター２を通して、吹き出し口８、１８から外部へ排出される。この時、塵埃等は、プレフィルター３及び空気清浄フィルター２に、捕捉される。
【０００４】
【発明が解決しようとする課題】
従来の空気清浄機においては、上記の如くの様々な改良を実施して、空気中に浮遊している塵埃等を清浄していた。ところで、一般には、空気中に浮遊している塵埃等は、プラスイオンに帯電している為、空気中のプラスイオンが多くなりすぎるという課題を有していた。その為、空気中に浮遊している塵埃等を清浄すると共に、空気中にマイナスイオンを放出させることができる空気清浄機の技術が求められていた。
【０００５】
【課題を解決するための手段】
本発明は、次のように構成したものである。
（１）空気中に浮遊している塵埃等を清浄する為の空気清浄機において、前記空気清浄機を構成するいずれかの部品の材料に、貴陽石（商標出願中）の粉体が練り込んで使用されてあるか、あるいは前記空気清浄機を構成するいずれかの部品の表面に、貴陽石（商標出願中）の粉体を混入させた塗装皮膜あるいはコーティング皮膜が形成されてあるか、あるいは前記空気清浄機を構成するいずれかの部品の材料は、貴陽石（商標出願中）の粉体を焼結させるかまたは樹脂バインダーにて固着させて形成されてあるものである。
【０００６】
（２）上記（１）記載の構成よりなる空気清浄機において、前記部品として空気清浄フィルターが使用されてあるものである。
【０００７】
（３）上記（１）記載の構成よりなる空気清浄機において、前記部品としてプレフィルターが使用されてあるものである。
【０００８】
（４）上記（１）記載の構成よりなる空気清浄機において、前記部品として本体フレームが使用されてあるものである。
【０００９】
（５）上記（１）記載の構成よりなる空気清浄機において、前記部品としてファンモーターが使用されてあるものである。
【００１０】
（６）上記（１）記載の構成よりなる空気清浄機において、前記部品としてファンが使用されてあるものである。
【００１１】
（７）上記（１）記載の構成よりなる空気清浄機において、前記部品としてブラシ付きファンが使用されてあるものである。
【００１２】
【発明の実施の形態】
実施の形態１
図３から図１４に実施の形態１を示す。図３は、本発明の実施の形態１の空気清浄機の構成を示す斜視図である。図３において、１１は空気清浄機、１３はプレフィルター、１４は本体フレームである。図４は、図３の空気清浄機の断面図である。図４において、１２は空気清浄フィルター、１５はファンモーター、１６はファン、１７は吸い込み口、２８は吹き出し口、２９は通路である。また、図５から図１４は、本発明の実施の形態１の空気清浄機に使用されてある部品の実施例が記載されてある。図５及び図６は、空気清浄フィルターの実施例を示す断面図である。図７及び図８は、プレフィルターの実施例を示す断面図である。図９から図１１は、本体フレームの実施例を示す断面図である。図１２は、ファンモーターの実施例を示す断面図である。図１３は、ファンの実施例を示す断面図である。図１４は、ブラシ付きファンの実施例を示す断面図である。図５から図１４において、１０、２０、３０、４０、５０、６０、７０は基材、１２、２２、３２は空気清浄フィルター、１３、２３、３３はプレフィルター、１４、２４、３４、４４は本体フレーム、１６はファン、２１は空気清浄機、２５はファンモーター、２７は吸い込み口、３１、４１、５１、６１、６９、７１、７９、８１、８９は粉体、３８は吹き出し口、３９は通路、５２、６２、７２、８２は皮膜、５３、６３はバインダー、５５はブラシ、６５は平板である。
【００１３】
本発明の空気清浄機１１は、図３及び図４の如く、空気清浄フィルター１２、プレフィルター１３、本体フレーム１４、ファンモーター１５、ファン１６、吸い込み口１７、吹き出し口２８、通路２９より形成されてある。空気中に浮遊している塵埃等を含む空気は、ファン１６の回転により吸引されて、プレフィルター１３を介して、吸い込み口１７から通路２９に入り、空気清浄フィルター１２を通して、吹き出し口２８から外部へ排出される。この時、塵埃等は、プレフィルター１３及び空気清浄フィルター１２に、捕捉される。
【００１４】
本発明の空気清浄機は、上記の如くの部品により構成されてあり、上記部品のいずれかの部品の材料に、貴陽石（商標出願中）の粉体が練り込んで使用されてあるか、あるいは、いずれかの部品の表面に、貴陽石（商標出願中）の粉体を混入させた塗装皮膜あるいはコーティング皮膜が形成されてあるか、あるいは、いずれかの部品の材料は、貴陽石（商標出願中）の粉体を焼結させるかまたは樹脂バインダーにて固着させて形成されてある。粉体の材質としては、貴陽石（商標出願中）の粉体が使用されてある。貴陽石は、天然の長石の一種であり、主成分は含水珪酸アルミニウムである。また、貴陽石は、群馬県利根郡にある群馬長石御座入鉱山にて産出されている。
【００１５】
貴陽石は、振動が加えられるとマイナスイオンを発生する性質を有している。特に、ある特定の周波数の振動が加えられると、大量のマイナスイオンを発生する性質を有している。マイナスイオンの発生量は、最大で、約２４０００個／ｃｃが測定されてあり、黒曜石、岐阜麦飯石、トルマリン、竜王石、医王石などのマイナスイオンを発生する他の鉱物に比べて、極めて多い発生量を有している。また、貴陽石は、常温にて遠赤外線を放射する性質を有している。遠赤外線放射率は、例えば、２５℃の測定温度にて約９６％が測定されている。なお、詳細の実施例については、部品毎に、図５から図１４を使用して、説明する。
【００１６】
まず、空気清浄フィルターにおける実施例を、図５及び図６を使用して説明する。空気清浄フィルター１２は、図５の如く、樹脂等の基材１０にたいして、所定重量％の貴陽石（商標出願中）の粉体３１が練り込まれた後、成形されて製作されてある。また、他の実施例として、空気清浄フィルター２２は、図６の如く、樹脂等の基材２０の表面に、塗装処理あるいはコーティング処理をした皮膜５２が、形成されてある。皮膜５２は、塗装材料あるいはコーティング材料にたいして、所定重量％の貴陽石（商標出願中）の粉体４１を、練り込んだ後、形成されてある。
【００１７】
本発明の実施の形態１の空気清浄フィルター１２は、上記の如くの構成となっている為、空気清浄機１１の使用時には、空気清浄フィルター１２の基材１０に所定重量％練り込まれた貴陽石（商標出願中）の粉体３１から、マイナスイオンが発生する。その為、空気中に浮遊している塵埃等は、空気清浄フィルター１２に、捕捉されると共に、空気中にマイナスイオンを放出させることができる。また、粉体３１は、空気清浄フィルター１２の基材１０に所定重量％練り込まれて形成されてある為、床面等への接触による摩擦により、粉体３１が脱落する事が無い。また、空気清浄フィルター２２の基材２０の表面に、所定重量％の貴陽石（商標出願中）の粉体４１を練り込んだ皮膜５２にて、塗装処理あるいはコーティング処理をした場合には、貴陽石（商標出願中）の粉体４１から、マイナスイオンが発生する。その時、発生したマイナスイオンを、空気中に放出することができる。皮膜５２は塗装処理あるいはコーティング処理にて形成されてある為、安価かつ容易に、粉体４１を空気清浄フィルター２２の表面に形成させることができる。
【００１８】
本発明の実施の形態１の空気清浄フィルターは、上記の如くの構成となっているが、空気清浄フィルターの材質等については、目的に応じて、貴陽石（商標出願中）の粉体を、練り込むことが可能である材質の中から、最適な材質を選定の上、使用しても、何ら支障は無い。また、使用する粉体の粒度等は、目的に応じて、適時、設定しても何ら支障は無い。
【００１９】
次に、プレフィルターにおける実施例を、図７及び図８を使用して説明する。プレフィルター１３は、図７の如く、樹脂等の基材３０にたいして、所定重量％の貴陽石（商標出願中）の粉体５１が練り込まれた後、成形されて製作されてある。また、他の実施例として、プレフィルター２３は、図８の如く、樹脂等の基材４０の表面に、塗装処理あるいはコーティング処理をした皮膜６２が、形成されてある。皮膜６２は、塗装材料あるいはコーティング材料にたいして、所定重量％の貴陽石（商標出願中）の粉体６１を、練り込んだ後、形成されてある。
【００２０】
次に、本体フレームにおける実施例を、図９から図１１を使用して説明する。本体フレーム１４は、図９の如く、樹脂等の基材５０にたいして、所定重量％の貴陽石（商標出願中）の粉体７１が練り込まれた後、成形されて製作されてある。また、他の実施例として、本体フレーム２４は、図１０の如く、樹脂等の基材６０の表面に、塗装処理あるいはコーティング処理をした皮膜７２が、形成されてある。皮膜７２は、塗装材料あるいはコーティング材料にたいして、所定重量％の貴陽石（商標出願中）の粉体８１を、練り込んだ後、形成されてある。さらにまた、他の実施例として、本体フレーム３４は、図１１の如く、所定重量％の貴陽石（商標出願中）の粉体９１を、樹脂バインダー５３にて、固着させて形成されてある。
【００２１】
次に、ファンモーターにおける実施例を、図１２を使用して説明する。ファンモーター２５は、図１２の如く、基材７０の表面に、塗装処理あるいはコーティング処理をした皮膜８２が、形成されてある。皮膜８２は、塗装材料あるいはコーティング材料にたいして、所定重量％の貴陽石（商標出願中）の粉体６９を、練り込んだ後、形成されてある。
【００２２】
次に、ファンにおける実施例を、図１３を使用して説明する。ファン１６は、図１３の如く、所定重量％の貴陽石（商標出願中）の粉体７９を、焼結させて形成されてある。
【００２３】
次に、ブラシ付きファンにおける実施例を、図１４を使用して説明する。ブラシ付きファン２６は、図１４の如く、平板６５と空気清浄フィルター３２の間に形成されてある。空気中に浮遊している塵埃等を含む空気は、ブラシ付きファン２６の回転により吸引されて、プレフィルター３３を介して、吸い込み口２７から通路３９に入り、空気清浄フィルター３２を通して、吹き出し口３８から外部へ排出される。この時、塵埃等は、プレフィルター３３及び空気清浄フィルター３２に、捕捉される。また、ブラシ５５は、ブラシ付きファン２６の回転時に、平板６５の表面を、回転しながら擦ることができるように形成されてある。さらにまた、平板６５は、所定重量％の貴陽石（商標出願中）の粉体８９を、樹脂バインダー６３にて、固着させて形成されてある。その為、ブラシ付きファン２６が回転することにより、平板６５に固着させて形成されてある貴陽石（商標出願中）の粉体８９から、マイナスイオンが発生する。その時、発生したマイナスイオンを、空気中に放出することができる。
【００２４】
ブラシ付きファンにおける実施例における実施例は、上記の如くの構成となっているが、ブラシ付きファンの形状、ブラシの形成状態等については、目的に応じて、例えば、ブラシをブラシ付きファンの両側に配設する等しても、何ら支障は無い。
【００２５】
【発明の効果】
以上の説明から明らかなように、本発明の実施の形態１の空気清浄機は、次に示すような効果を得ることができる。
【００２６】
空気清浄機を構成するいずれかの部品の基材にたいして、所定重量％の貴陽石（商標出願中）の粉体が練り込まれた後、成形されて製作されてある場合には、空気清浄機の使用時には、部品の基材に所定重量％練り込まれた貴陽石（商標出願中）の粉体から、マイナスイオンが発生する。その為、空気中に浮遊している塵埃等は、プレフィルター及び空気清浄フィルターに、捕捉されると共に、空気中にマイナスイオンを放出させることができる。また、粉体は、空気清浄機を構成するいずれかの部品の基材に所定重量％練り込まれて形成されてある為、床面等への接触による摩擦により、粉体が脱落する事が無い。
【００２７】
また、空気清浄機を構成するいずれかの部品の基材の表面に、所定重量％の貴陽石（商標出願中）の粉体を混入させた塗装皮膜あるいはコーティング皮膜が形成されてある場合には、貴陽石（商標出願中）の粉体から、マイナスイオンが発生する。その時、発生したマイナスイオンを、空気中に放出することができる。また、皮膜は塗装処理あるいはコーティング処理にて形成されてある為、安価かつ容易に、粉体を空気清浄機を構成するいずれかの部品の表面に形成させることができる。
【００２８】
また、空気清浄機を構成するいずれかの部品の基材の表面に、所定重量％の貴陽石（商標出願中）の粉体を、樹脂バインダーにて固着させて形成したり、部品を、所定重量％の貴陽石（商標出願中）の粉体にて、焼結させて形成した場合には、粉体の重量％を多くすることができるので、マイナスイオンを大量に発生させることができる。
【００２９】
また、空気清浄機を構成するブラシ付きファンを、回転時に、平板に当接するようにブラシを形成し、平板を、所定重量％の貴陽石（商標出願中）の粉体を樹脂バインダーにて固着させて形成した場合には、ブラシ付きファンの回転時に、ブラシが平板の表面を擦ることにより、平板に、樹脂バインダーにて固着させて形成された所定重量％の貴陽石（商標出願中）の粉体から、マイナスイオンを発生させることができる。
【図面の簡単な説明】
【図１】従来の空気清浄機を示す斜視図である。
【図２】図１の本体フレームの内部を示す断面図である。
【図３】本発明の実施の形態１の空気清浄機を示す斜視図である。
【図４】図３の本体フレームの内部を示す断面図である。
【図５】空気清浄フィルターにおける実施例を示す断面図である。
【図６】空気清浄フィルターにおける他の実施例を示す断面図である。
【図７】プレフィルターにおける実施例を示す断面図である。
【図８】プレフィルターにおける他の実施例を示す断面図である。
【図９】本体フレームにおける実施例を示す断面図である。
【図１０】本体フレームにおける他の実施例を示す断面図である。
【図１１】本体フレームにおける他の実施例を示す断面図である。
【図１２】ファンモーターにおける実施例を示す断面図である。
【図１３】ファンにおける実施例を示す断面図である。
【図１４】ブラシ付きファンにおける実施例を示す断面図である。
【符号の説明】
１、１１、２１　空気清浄機
２、１２、２２、３２　空気清浄フィルター
３、１３、２３、３３　プレフィルター
４、１４、２４、３４、４４　本体フレーム
５、１５、２５　ファンモーター　６、１６　ファン
７、１７、２７　吸い込み口　８、１８、２８、３８　吹き出し口
９、１９、２９、３９　通路
１０、２０、３０、４０、５０、６０、７０　基材
２６　ブラシ付きファン
３１、４１、５１、６１、６９、７１、７９、８１、８９、９１　粉体
５２、６２、７２、８２　皮膜　５３、６３　バインダー
５５　ブラシ　６５　平板
【図１】
2004138372.tif 000003
【図２】
2004138372.tif 000004
【図３】
2004138372.tif 000005
【図４】
2004138372.tif 000006
【図５】
2004138372.tif 000007
【図６】
2004138372.tif 000008
【図７】
2004138372.tif 000009
【図８】
2004138372.tif 000010
【図９】
2004138372.tif 000011
【図１０】
2004138372.tif 000012
【図１１】
2004138372.tif 000013
【図１２】
2004138372.tif 000014
【図１３】
2004138372.tif 000015
【図１４】
2004138372.tif 000016